(57)【要約】【課題】本発明の課題は、１個のブロアから供給される空気流から複数通りの組み合わせの空気流を形成することにより、製造コストを抑えた空気式給紙装置を提供することにある。【解決手段】空気流の供給源と連通する第１の空気口と、空気流の噴射口と連通する第２、第３及び第４、第５の空気口とを有するシリンダと、シリンダの中を回転するメインロータとサブロータとよりなり、該メインロータは、その回動位置に応じて前記第１空気口と第２又は第３の空気口を選択的に連通させる切り欠き部を有し、前記サブロータはその回動位置に応じて第１の空気口と第４又は第５の空気口を選択的に連通させる切り欠き部を有する空気流分配装置を用いて、１個のブロアから複数の空気流を形成する。【選択図】図５
2005239291.tif 000002
【特許請求の範囲】
【請求項１】
積載された用紙を収納可能な複数の収納部材と、該複数の収納部材ごとに設けられ、前記用紙の搬送方向前面に対して空気を噴射する第１噴射口と、前記用紙の搬送方向側面に対して空気を噴射する第２噴射口から構成される用紙浮上機構と、該用紙浮上機構より噴射される空気により浮上、分離された前記用紙を吸着し、搬送するための吸引搬送機構と、前記用紙浮上機構及び前記吸引搬送機構に対して空気の供給、排出を行う空気給排装置と、前記空気給排装置と前記用紙浮上機構及び前記吸引搬送機構を繋ぐ空気搬送路上に設けられ、前記空気給排装置からの空気流を、前記用紙浮上機構及び前記吸引搬送機構へ任意に分配する回転式の分配装置とを備えたことを特徴とする空気式給紙装置。
【請求項２】
電子写真装置に印刷用紙を供給するための空気式給紙装置であって、前記用紙を搬送するために前記用紙に対して異なる場所から空気流を噴射するための第１の噴射ノズル及び第２の噴射ノズルを有する用紙浮上手段と、浮上した用紙を搬送するための搬送手段と、前記第１及び第２の噴射ノズルに空気流を供給するための空気供給路に設けられた分配装置とを備え、該分配装置は、前記第１及び第２噴射ノズルに接続された流路と連通する第１及び第２の空気口と、前記空気供給路に連通する第３の空気口を有するシリンダ状部材と、該シリンダ状部材の中に回動自在に挿入されたロータを有し、該ロータの回動位置に応じて第３の空気口と第１又は第２の空気口を連通する動作モードと、第３の空気口と第１及び第２の空気口を連通する動作モードを選択的に切替えられるようにしたことを特徴とする空気式給紙装置。
【請求項３】
噴射ノズルからの空気流により用紙を浮上させる用紙浮上手段と、浮上した用紙を搬送する搬送手段とを備えた第１の給紙装置及び第２の給紙装置を有し、該第１及び第２の給紙装置から選択的に前記用紙を供給される電子写真装置において、前記第１及び第２の給紙装置に空気を供給する第１及び第２の空気流路と、空気供給源と接続された第３の流路との間に分配装置を設け、該分配装置は、前記第１及び第２の流路と連通する第１及び第２の空気口と、前記第３の空気流路に連通する第３の空気口とを有するシリンダ状部材と、該シリンダ状部材の中に回動自在に挿入されたロータとを有し、該ロータの回動位置に応じて第３の空気口と第１の空気口とを連通する動作モードと、第３の空気口と第２の空気口とを連通する動作モードを選択的に切替えられるようにしたことを特徴とする電子式写真装置。
【請求項４】
シリンダ部と、該シリンダ部の中に回動可能に挿入されたロータ部とよりなり、前記シリンダ部は、空気流の供給源と連通する第１の空気口と、空気流の噴射口と連通する第２、第３及び第４、第５の空気口とを有し、前記ロータ部はメインロータとサブロータとよりなり、該メインロータは、その回動位置に応じて前記第１空気口と第２又は第３の空気口を選択的に連通させる切り欠き部を有し、前記サブロータはその回動位置に応じて第１の空気口と第４又は第５の空気口を選択的に連通させる切り欠き部を有することを特徴とする空気流分配装置。
【請求項５】
請求項４において、前記メインロータと前記サブロータとはトルクリミッタにより連結し、前記メインロータが所定角度以上回動するときには前記サブロータは空転するようにしたことを特徴とする空気流分配装置。
【請求項６】
請求項５において、前記サブロータの側面には所定の角度範囲に溝を形成し、前記シリンダには該溝と係合する部材を設けることにより前記サブロータを所定角度範囲でのみ回動可能にしたことを特徴とする空気流分配装置。
【請求項７】
請求項４において、前記第１の空気口と前記第２空気口のみが連通する第１動作モードと、前記第１の空気口と前記第３の空気口のみが連通する第２の動作モードと、前記第１の空気口と前記第２及び第４の空気口が連通する第３の動作モードと、前記第１の空気口と前記第３及び第５の空気口が連通する第４の動作モードを有し、第１乃至第４の動作モードを選択的に切替えられるようにしたことを特徴とする空気流分配装置。
【請求項８】
請求項７において、第１乃至第４の動作モードの少なくとも２つのモードの間に第１空気口と大気とが連通する中間モードを形成したことを特徴とする空気流分配装置。
【発明の詳細な説明】
【技術分野】
【０００１】
本発明は複写機やプリンタ等の電子写真装置に用いられる給紙装置に係り、特に空気流を利用して紙葉類を分離供給する給紙装置に関するものである。
【背景技術】
【０００２】
電子写真装置において用いられているエア吸引方式、或いはエア分離方式と呼ばれる給紙装置の従来例を図１に示す。
【０００３】
図１において、用紙昇降テーブル１に積載された用紙２は用紙上面検出センサ３と、この用紙上面検出センサ３の情報を基に用紙昇降テーブル１の駆動を制御する制御手段４により、常に一定高さに位置するように制御されている。用紙２の上方には真空充気室５、吸引穴を持つベルト部材６と、このベルト部材６を駆動するための駆動装置７が設置されている。また、用紙の搬送方向前面には、積載された用紙の上層部を空気流の吹き付けにより分離し、浮上させるための空気噴射ノズル８が備えられており、この空気噴射ノズル８により、浮上した用紙２をベルト部材６が吸着し、搬送することで給紙を行う仕組みとなっている。また、用紙搬送方向の下流には、吸着搬送される用紙２を受け取り、図示しない画像形成部へと搬送する用紙搬送手段、いわゆる搬送ローラ９が備えられている。
【０００４】
このように構成された給紙装置において、空気流により確実且つ高速に用紙を分離、浮上させ、画像形成部に搬送するために従来より種々の提案がなされている。
【０００５】
例えば特許第２９３４４４２号公報には図２及び図３に示す紙葉類分離供給装置が開示されている。即ちこの装置は、図２、図３に示すように、空気流の吹き付けにより用紙２を分離、浮上させるための空気噴射流ノズル８とは別に、用紙２の搬送方向に対し側面から空気を噴射する第２の噴射ノズル１０を設け、用紙２の搬送方向側面からも空気を噴射するように構成されており、用紙２の浮上効果をより高めることができるという効果がある。
【０００６】
しかしながらこのような構造の場合、特に用紙の厚みが大きく、浮上しにくい用紙を扱う時には有効である反面、用紙の厚みが小さい場合、例えばトレーシングペーパなどの用紙に対しては過剰な浮上が起こり、多数枚の用紙が一度に給紙されてしまうという不具合が発生し易い難点がある。従って用紙の種類に応じて前方から空気流を噴射するモードと、前方及び側方の両方から空気流を噴射するモードを用意し、必要に応じて空気流の切り替えを行う構造とする必要がある。
【０００７】
一方、空気噴射ノズル８及び１０や真空充気室５に対して給排気を行う装置としては、一般的にファンやブロアが用いられている。一般に複写機やプリンタなどの電子写真装置においては、複数の給紙装置を設置していることが多いため、ファンやブロアの数も増加し、コスト高になるという問題がある。
【０００８】
画像形成装置内で従来複数個使用されていたファンを一つまたは少数の送風機に集約する方式は、例えば特開２００２−１６９４５０号公報に開示されている。しかし、何れにしても１個のファン又はブロアから供給される空気流を複数の流路或いはノズルに分配する複数の分配装置を設置せざるを得ない。
【０００９】
更に、図２及び図３に示したように用紙２の前面と側面の２方向から空気を噴射する方式の給紙装置においては、この２方向を区別して制御するためのそれぞれ独立した空気供給装置か、或いは空気流の切り替えを行うための分配装置が必要となり、装置全体の製造コストは高くならざるを得なかった。
【００１０】
【特許文献１】特許第２９３４４４２号公報
【００１１】
【特許文献２】特開２００２−１６９４５０号公報
【発明の開示】
【発明が解決しようとする課題】
【００１２】
本発明の課題は上述のような従来の問題を解決した給紙装置を提供することにある。具体的には、本発明は複数の空気噴射ノズルを搭載した給紙装置或いは複数の空気式給紙装置を搭載した電子写真装置において、１個のファン又はブロアから複数通りの組み合わせの空気流を形成することが可能な空気流分配装置を設置することにより、製造コストを抑えた空気式給紙装置及び電子写真装置を提供することを目的とするものである。
【課題を解決するための手段】
【００１３】
上記の目的を達成するために本発明は、電子写真装置に印刷用紙を供給するために前記用紙に対して異なる場所から空気流を噴射するための第１の噴射ノズル及び第２の噴射ノズルを有する用紙浮上手段と、浮上した用紙を搬送するための搬送手段と、前記第１及び第２の噴射ノズルに空気流を供給するための空気供給路に設けられた分配装置とを備え、該分配装置は、前記第１及び第２噴射ノズルに接続された流路と連通する第１及び第２の空気口と、前記空気供給路に連通する第３の空気口を有するシリンダ状部材と、該シリンダ状部材の中に回動自在に挿入されたロータを有し、該ロータの回動位置に応じて第３の空気口と第１又は第２の空気口を連通する動作モードと、第３の空気口と第１及び第２の空気口を連通する動作モードを選択的に切替えられるようにしたことに一つの特徴がある。
【００１４】
本発明の他の特徴は、噴射ノズルからの空気流により用紙を浮上させる用紙浮上手段と、浮上した用紙を搬送する搬送手段とを備えた第１の給紙装置及び第２の給紙装置を有し、該第１及び第２の給紙装置から選択的に前記用紙を供給される電子写真装置において、前記第１及び第２の給紙装置に空気を供給する第１及び第２の空気流路と、空気供給源と接続された第３の流路との間に分配装置を設け、該分配装置は、前記第１及び第２の流路と連通する第１及び第２の空気口と、前記第３の空気流路に連通する第３の空気口とを有するシリンダ状部材と、該シリンダ状部材の中に回動自在に挿入されたロータとを有し、該ロータの回動位置に応じて第３の空気口と第１の空気口とを連通する動作モードと、第３の空気口と第２の空気口とを連通する動作モードを選択的に切替えられるようにしたことにある。
【００１５】
本発明の他の特徴は、空気流分配装置を、シリンダ部と、該シリンダ部の中に回動可能に挿入されたロータ部とより構成し、前記シリンダ部は、空気流の供給源と連通する第１の空気口と、空気流の噴射口と連通する第２、第３及び第４、第５の空気口とを有し、前記ロータ部はメインロータとサブロータとよりなり、該メインロータは、その回動位置に応じて前記第１空気口と第２又は第３の空気口を選択的に連通させる切り欠き部を有し、前記サブロータはその回動位置に応じて第１の空気口と第４又は第５の空気口を選択的に連通させる切り欠き部を備えていることにある。
【００１６】
本発明の他の特徴は、前記メインロータと前記サブロータとをトルクリミッタにより連結し、前記メインロータが所定角度以上回動するときには前記サブロータは空転するように構成したことにある。
【００１７】
本発明の他の特徴は、前記サブロータの側面に所定の角度範囲に溝を形成し、前記シリンダに該溝と係合する部材を設けることにより、前記サブロータを所定角度範囲でのみ回動可能にしたことにある。
【００１８】
本発明の他の特徴は、前記第１の空気口と前記第２空気口のみが連通する第１動作モードと、前記第１の空気口と前記第３の空気口のみが連通する第２の動作モードと、前記第１の空気口と前記第２及び第４の空気口が連通する第３の動作モードと、前記第１の空気口と前記第３及び第５の空気口が連通する第４の動作モードを有し、第１乃至第４の動作モードを選択的に切替えられるようにしたことにある。
【００１９】
本発明の他の特徴は、第１乃至第４の動作モードの少なくとも２つのモードの間に第１空気口と大気とが連通する中間モードを形成したことにある。
本発明の他の特徴は以下の説明により一層明瞭に理解できる。
【発明の効果】
【００２０】
本発明に係る空気式給紙装置によれば、空気を供給するブロアと、給紙のために空気流を噴射する複数個の噴射ノズルとの間に分配装置を設け、該分配装置は複数個の噴射ノズルに連通する複数の空気口と、ブロアに連通する空気口を有するシリンダと、該シリンダ内に回動可能に挿入され、回動位置に応じて上記空気口を選択的に連通する切り欠き部を有するロータとを備えているので、少ない数のファンやブロア或いは分配装置を用いて空気流の切替えを行うことが可能となり、製造コストを抑えた空気式給紙装置を提供できるという効果がある。
【発明を実施するための最良の形態】
【００２１】
以下、本発明を実施するための最も好ましい形態を実施例として説明する。
【実施例】
【００２２】
図４は、本発明にかかる空気式給紙装置の一実施例を示し、第１の空気噴射ノズル８と第２の空気噴射ノズル１０を有する第１の給紙装置Ａと、同じく２個のノズル８及び１０を有する第２の給紙装置Ｂと、単一のブロア１１を備えている。
【００２３】
上記ブロア１１からの空気流は、空気噴射用ダクト１２を介して調整弁２３に供給され、空気流の噴射圧を調整された後、分配装置１４に供給される。
【００２４】
分配装置１４には、第１の給紙装置Ａの前方噴射ノズル８及び側面噴射ノズル１０に空気流を供給するためのダクト１５及び１６と、第２の給紙装置Ｂの前方噴射ノズル８及び側面噴射ノズル１０に空気流を供給するためのダクト１９及び２０が接続されている。また第１の給紙装置Ａの吸引搬送装置１８からの排気は、空気排出用ダクト１７を介して分配装置１４に導かれ、第２の給紙装置Ｂの吸引搬送装置２２からの排気も、空気排出用ダクト２１を介して分配装置１４に導かれる。上記の両排気は、調整弁２３により排気圧を調整された後、空気排出用ダクト１３を通してブロア１１に導かれる。
【００２５】
本実施例は、上記のように構成された空気給紙装置を用いて電子写真装置で印刷を行う場合、次の４つの動作モードＡ、Ｂ、Ｃ、Ｄを選択的に且つ簡便に切替えられる構造を提供するものである。
モードＡ：第１の給紙装置Ａを使用し、用紙搬送方向の前方噴射ノズル８から空気を噴射する動作モード
モードＢ：第１の給紙装置Ａを使用し、用紙搬送方向の前方噴射ノズル８と側面噴射ノズル１０の両方から空気を噴射する動作モード
モードＣ：第２の給紙装置Ｂを使用し、用紙搬送方向の前方噴射ノズル８から空気を噴射する動作モード
モードＤ：第２の給紙装置Ｂを使用し、用紙搬送方向の前方噴射ノズル８と側面噴射ノズル１０の両方から空気を噴射する動作モード
次に、上記のような動作モードＡ、Ｂ、Ｃ、Ｄを実現するための具体的な構造について
図５〜図９を参照して説明する。
【００２６】
図５は本発明にかかる空気給紙装置に用いられる分配装置の一実施例の構造を示す分解図である。分配装置１４は、主としてシリンダ２４と、該シリンダ２４内に回動自在に挿入されるメインロータ２５及びサブロータ２６と、該ロータ２５、２６を回動するステップモータ３５により構成される。
【００２７】
上記シリンダ２４には、その側面に空気口３６、３７が設けられ、上面には空気口３８、３９、４３が、下面には空気口４０、４１、４４がそれぞれ設けられている。上記空気口３６は図４の空気排出用ダクト１３に接続され、空気口３７は空気噴射用ダクト１２に接続されている。また空気口３８、３９、４３は図４の空気排出用ダクト１７、前方噴射用ノズルダクト１５、側面噴射用ダクト１６にそれぞれ接続されている。
【００２８】
一方、空気口４０、４１、４４は図４の空気排出用ダクト２１、前方噴射用ノズルダクト１９、側面噴射用ダクト２０にそれぞれ接続されている。この実施例では空気口３６、３７と、他の空気口３８、３９、４３及び４０、４１、４４とそれぞれ９０°の角度を隔てて形成されている。またシリンダ２４の側面にはロータ２６の回動角度を制限するためのピン３０が設けられている。
【００２９】
一方、メインロータ２５及びサブロータ２６はシリンダ２４の中に挿入され、その両端に設けられたボールベアリング２７、２８によりシリンダ２４内に回動できるように支持されている。
【００３０】
メインロータ２５には仕切り板４６により区画された切り欠き部４５が設けられている。この切り欠き部４５は回転軸に対して所定の角度をもって形成されており、空気口３６、３７と空気口３８、３９との間にこの切り欠き部４５がくると、図４のブロア１１と第１給紙装置Ａとの間で給気路と排気路が形成される。また上記切り欠き部が空気口３６、３７と空気口４０、４１との間にくると、図４のブロア１１と第２給紙装置Ｂとの間で給気路と排気路が形成される。給気路と排気路との間には仕切り板４６があるため給気と排気の混合は起こらない。
【００３１】
またメインロータ２５の一方の側面には貫通穴４９が設けられており、空気口３７から入った空気を空気口４３及び４４に分配するときに用いられる。一方、サブロータ２６はその外周面に回転軸に対して平行な方向に２個の切り欠き部４７が設けられている。本実施例ではこの切り欠き部４７は回転軸に対して対称な位置、即ち１８０°の角度を隔てて形成されている。
【００３２】
またサブロータ２６の側面にはピン３０と係合する溝４７が設けられている。本実施例ではこの溝４７はサブロータ２６の回転角度で９０°以内に制限されている。サブロータ２６が所定の回動位置にあるときは、空気口３７から入った空気が貫通穴４９及び切り欠き部４７を介して空気口４３又は４４に供給される。
【００３３】
上記サブロータ２６とメインロータ２５との間にはトルクリミッタ２９が連結されており、メインロータ２５が９０°以内の角度範囲で回動するときにはサブロータ２６も追従して回動するが、メインロータ２５が９０°を超えて回動するときにはサブロータ２６の回動はピン３０により制限されるためメインロータ２５に追従せず空転する。
【００３４】
メインロータ２５の回転軸には、それぞれ円周縁に１対の切り欠き部を有する円板状のアクチュエータ３１、３２が取り付けられ、これらのアクチュエータ３１、３２に近接して光センサ３３、３４が設けられている。上記各１対の切り欠き部と光センサ３３、３４により合計４パターンの位置検出が可能となっており、これによりメインロータ２５を前記動作モードＡ、Ｂ、Ｃ、Ｄの任意の回動位置に停止させることができる。
【００３５】
次に各動作モードＡ、Ｂ、Ｃ、Ｄにおけるシリンダ２４とロータ２５、２６の回動位置の関係について説明する。
【００３６】
（１）動作モードＡ
動作モードＡは、第１の給紙装置Ａを使用し、用紙搬送方向前面の噴射ノズル８から空気を噴射する動作モードである。このような場合は、図６に示すようにメインロータ２５を時計方向に９０°以上回転させ、空気口３６、３７と空気口３８、３９とがそれぞれ連通する位置にて停止させればよい。この時、サブロータ２６の切り欠き部４７は空気口４３と一致しないため、空気口３７からの空気流は空気口４３へは行かない。
【００３７】
（２）動作モードＢ
動作モードＢは、第１の給紙装置Ａを使用し、用紙搬送方向前面の噴射ノズル８と用紙走行方向側面の噴射ノズル１０の２ヵ所から空気を噴射する動作モードである。この場合は、図７に示すようにメインロータ２５を反時計方向に１８０°以上回転させ、空気口３６、３７と空気口３８、３９とがそれぞれ連通する位置にて停止させればよい。この時、サブロータ２６の切り欠き部４７が空気口４３と一致し、空気口３７からの空気流はメインロータ２５の穴４９を通して空気口３９と空気口４３の両方に供給される。
【００３８】
（３）動作モードＣ
動作モードＣは、第２の給紙装置Ｂを使用し、用紙搬送方向前面の噴射ノズル８から空気を噴射する動作モードである。この場合は、図８に示すように、メインロータ２５を時計方向に１８０°以上回転させ、空気口３６、３７と空気口４０、４１とがそれぞれ連通する位置にて停止させればよい。この時、サブロータ２６の切り欠き部４７は空気口４４と一致しないため、空気口４１からの空気流は空気口４４へは行かない。
【００３９】
（４）動作モードＤ
動作モードＤは、第２の給紙装置Ｂを使用し、用紙搬送方向前面の噴射ノズル８と用紙走行方向側面の噴射ノズル１０の２ヵ所から空気を噴射する動作モードである。この場合は、図９に示すようにメインロータ２５を反時計方向に９０°以上回転させ、空気口３６、３７と空気口４０、４１とが連通する位置にて停止させればよい。この時、サブロータ２６の切り欠き部４７が空気口４４と一致し、空気口３７からの空気流はメインロータ２５の穴４９を通して空気口４１と空気口４４の両方に供給される。
【００４０】
このように本実施例によれば、１つの分配装置を用いることによって、空気給紙装置を４つの動作モードで動作させることが可能になる。但し、本実施例においては、後で詳しく説明するように、メインロータ２５を時計方向に１３５°回転したときに動作モードＡとなり、反時計方向に２２５°回転した時に動作モードＢとなる。また時計方向に２２５°回転したときに動作モードＣとなり、反時計方向に１３５°回転した時に動作モードＤとなる。つまり動作モードＡとＢとでは円板３１、３２と光センサ３４と３３の位置関係が同一であり、動作モードＣとＤでも同様に同一の位置関係になる。このためメインロータ２５の回転位置の制御に不都合を生じるので、本実施例では動作モードＡ、Ｂ間の移行及び動作モードＣ、Ｄ間の移行の際にはニュートラルのモードを経た後に移行するように構成した。
【００４１】
図１０はニュートラル位置を設置した場合の構造を示し、シリンダ２４の側面であって空気口３６、３７と隣接する場所に穴部５０、５１が設けられている。そしてメインロータ２５が所定の回動位置で停止した時には空気口３６、３７が穴部５０、５１を介して大気と連通するように動作する。
【００４２】
次に本発明の実施例において、センサ３３、３４及びメインロータ２５、サブロータ２６の回転位置と動作モードとの関係について図１１−１、図１１−２、図１２−１、図１２−２を用いて説明する。
【００４３】
図１１−１はメインロータ２５がニュートラルの位置にある場合のメインロータ２５と空気口３７、３９、４１及び円板３１、３２の位置関係を示している。この図では説明の便宜上、他の空気口３６、３８、４３、４４は図示していないが、前述の図６〜図１０の説明を参照すれば容易に理解できる。
【００４４】
またメインロータ２５の回転位置を制御するための検出器は円板３１、３２と、光センサ３３、３４とから構成されている。円板３１は円周に２個所の切り欠き部３１ａ、３１ｂを有し、円板３２も円周に２個所の切り欠き部３２ａ、３２ｂを有する。光センサ３３、３４はそれぞれ円板３２、３１の切り欠き部に対向する位置にあるときは例えばオン、それ以外の時にはオフ信号を出力する。
【００４５】
図１１−１の（ａ）に示すニュートラル位置は、センサ３３、３４がそれぞれ切り欠き部３２ａ、３１ｂに対向する位置にあり、メインロータ２５の切り欠き部４５及びサブロータの切り欠き部４７は図示の位置にあるときである。つまりメインロータ２５の切り欠き部４５により、空気口３７と空気口３９、４１の何れもが連通しない。またサブロータの切り欠き部４７は、図５に示したピン３０と溝４８の係合により、時計方向には回動しない。またニュートラルの位置からメインロータ２５が反時計方向に回転した時には９０°だけ切り欠き部４７も反時計方向に回動するが、それ以上メインロータ２５が回転しても、切り欠き部４７の位置は固定されたままである。
【００４６】
図１１−１の（ａ）の位置関係にある時は、空気口３７に入った空気は、図１０の説明から明らかなように大気に連通する穴５０より戻り、何れの空気口３９、４１にも供給されない。
【００４７】
次にメインロータ２５が時計方向に９０°回転した場合の円板３２、３１とセンサ３３、３４の位置関係及び切り欠き部４５、４７と空気口３７、３９、４１の位置関係は（ｂ）のように変化する。この状態ではまだ空気口３７と３９との間は完全には連通しない。
【００４８】
図１１−１の（ｃ）に示すように、センサ３４が切り欠き部３１ａに対向する位置に来たときにはメインロータ２５が１３５°回転するように制御され、動作モードＡの状態になる。即ち空気口３７と３９とが連通し、空気口３７から入った空気が空気口３９に供給される。但し、前述のようにメインロータ２５がニュートラル位置から時計方向に回転している間は、サブロータの切り欠き部４７の位置は固定されたままであるので、空気口４３、４４には空気は供給されない。
【００４９】
更にメインロータ２５が時計方向に１８０°回転すると図１１−２の（ｄ）の位置関係になり、空気口３７は何れの空気口３９、４１とも連通しない。同図（ｅ）のようにセンサ３３が切り欠き部３２ｂに対向する位置にくると、メインロータ２５は時計方向に２２５°回転するように制御され、動作モードＣになる。即ち切り欠き部４５により、空気口３７と４１が連通し、空気口３７から入った空気が空気口４１に供給されるように切り換わる。そしてメインロータ２５が３６０°回転すると（ｆ）のような位置関係になり、図１１−１の（ａ）と同じニュートラルの状態になる。
【００５０】
次に図１２−１の（ａ）に示すようなニュートラルの位置からメインロータ２５が反時計方向に回転した場合について説明する。
【００５１】
メインロータ２５が反時計方向に９０°回転すると、図１２−１の（ｂ）に示すように、サブロータの切り欠き部４７も反時計方向に９０°回転し、空気口４３、４４と対向する位置（図７、図９）にくる。
【００５２】
しかし図１２−１の（ｂ）の状態ではメインロータ２５の切り欠き部４５により空気口３７と４１がまだ完全に連通していないので、空気口３７から入った空気はどの空気口３７、４１、４３、４４にも供給されない。
【００５３】
同図（ｃ）のように円板３２の切り欠き部３２ｂがセンサ３３と対向する位置にくると、メインロータ２５は反時計方向に１３５°回転するように制御され、動作モードＤの状態になる。即ちこの状態においては、空気口３７から入った空気が空気口４１に供給されると共に、サブロータの切り欠き部４７を通して空気口４１と同じ側の空気口４４にも供給される。
【００５４】
更にメインロータ２５を反時計方向に回転すると、図１２−２の（ｄ）の位置関係を経た後、同図（ｅ）の動作モードＢの状態になる。即ちセンサ３４が円板３１の切り欠き部３１ａに対向する位置に来ると、メインロータ２５が反時計方向に２２５°回転するように制御され、（ｅ）のような位置関係になる。この状態では空気口３７から入った空気が空気口３９に供給されると共にサブロータの切り欠き部４７を通して、空気口３９と同じ側に設けられた空気口４３にも供給される。そしてメインロータ２５を反時計方向に３６０°回転させると、図１２−２の（ｆ）に示すようにニュートラルの位置に戻る。
【００５５】
上記の説明において図１１−１の（ｃ）に示す動作モードＡと、図１２−２の（ｅ）に示す動作モードＢにおけるセンサ３３、３４と円板３２、３１の切り欠き部の位置関係は同じである。しかし図１１−１の（ｃ）と図１２−２の（ｅ）の間には必ずニュートラルの位置が介在するから、ニュートラル位置からの回転が時計方向か反時計方向かを識別することにより、同じセンサ位置でも異なる動作モードを実現することが可能である。動作モードＣ及びＤの間でも同様のことが言える。
【００５６】
以上本発明の一実施例について説明したが、本発明の基本的な概念を変更しない範囲で種々の設計的な変更を加え得ることは明らかであり、そのような変更も本発明の範囲に含まれるものである。
【産業上の利用可能性】
【００５７】
本発明は複数の給紙装置を備えた電子写真装置において給紙装置を必要に応じて切替えて使用する用途や、複数個の空気流噴射ノズルを有する給紙装置を備えた電子写真装置において、使用する噴射ノズルを切替えて動作させるような用途に利用することができる。
【図面の簡単な説明】
【００５８】
【図１】空気流を利用した給紙装置の従来例を示す斜視図である。
【図２】空気流を利用した給紙装置の従来例を示す断面図である。
【図３】空気流を利用した給紙装置の従来例を示す正面図である。
【図４】本発明に係る空気式給紙装置の一実施例を示す構成概略図である。
【図５】本発明に係る空気式給紙装置に用いられる分配装置の一実施例の構造を示す分解図である。
【図６】本発明に用いられる分配装置の動作モード説明図である。
【図７】本発明に用いられる分配装置の動作モード説明図である。
【図８】本発明に用いられる分配装置の動作モード説明図である。
【図９】本発明に用いられる分配装置の動作モード説明図である。
【図１０】本発明に用いられる分配装置の、ニュートラル動作位置の説明図である。
【図１１−１】本発明に用いられる分配装置の動作モードの説明図である。
【図１１−２】本発明に用いられる分配装置の動作モードの説明図である。
【図１２−１】本発明に用いられる分配装置の動作モードの説明図である。
【図１２−２】本発明に用いられる分配装置の動作モードの説明図である。
【符号の説明】
【００５９】
１は用紙昇降テーブル、２は用紙、３は用紙上面検出センサ、４は制御手段、５は真空充気室、６はベルト部材、７は駆動装置、８は空気噴射ノズル、９は搬送ローラ、１０は側面噴射ノズル、１１はブロア、１２は空気噴射用ダクト、１３は空気排出用ダクト、１４は分配装置、１５は前方噴射ノズル用ダクト、１６は側面噴射用ダクト、１７は空気排出用ダクト、１８は吸引搬送装置、１９は前方噴射ノズル用ダクト、２０は側面噴射用ダクト、２１は空気排出用ダクト、２２は吸引搬送装置、２３は弁、２４はシリンダ、２５はメインロータ、２６はサブロータ、２７、２８はボールベアリング、２９はトルクリミッタ、３０はピン、３１、３２は円板、３１ａ、３１ｂ、３２ａ、３２ｂは切り欠き部、３３、３４は光センサ、３５はステップモータ、３６〜４４は空気口、４５は切り欠き部、４６は仕切り板、４７は切り欠き部、４８は溝、４９は穴、５０、５１は穴である。
【図１】
2005239291.tif 000003
【図２】
2005239291.tif 000004
【図３】
2005239291.tif 000005
【図４】
2005239291.tif 000006
【図５】
2005239291.tif 000007
【図６】
2005239291.tif 000008
【図７】
2005239291.tif 000009
【図８】
2005239291.tif 000010
【図９】
2005239291.tif 000011
【図１０】
2005239291.tif 000012
【図１１−１】
2005239291.tif 000013
【図１１−２】
2005239291.tif 000014
【図１２−１】
2005239291.tif 000015
【図１２−２】
2005239291.tif 000016